(57)【要約】少なくとも１つの状態表示灯と、モニタに取り付けるのに適した取付ブラケットと、を備える、モニタ搭載状態表示灯アセンブリが開示される。いくつかの実施形態では、標準のＶＥＳＡ取付構成が採用され、アセンブリの取付ブラケットは、同じＶＥＳＡ取付構成を介したモニタ取付アームへのモニタの取り付けと干渉せず、または妨げもしない。
2019522209.tif 000002
【特許請求の範囲】
【請求項１】
状態表示灯アセンブリであって、
少なくとも１つの表示灯を備える状態表示灯ハウジングと、
前記状態表示灯ハウジングに接続され、モニタ、モニタ支持要素、モニタアーム、またはモニタ取付ブラケットのうちの少なくとも１つに取り付けるように適合されている状態表示灯取付ブラケットと、を備えるアセンブリ。
【請求項２】
前記状態表示灯取付ブラケットは、標準化された取付構成で配置された１つまたは複数の取付孔を有する、請求項１に記載の状態表示灯アセンブリ。
【請求項３】
前記標準化された取付構成は、ＶＥＳＡ準拠の構成である、請求項２に記載の状態表示灯アセンブリ。
【請求項４】
前記表示灯ハウジングと前記状態表示灯取付ブラケットとが、ハウジング支持体によって相互接続されている、請求項１に記載の状態表示灯アセンブリ。
【請求項５】
前記ハウジング支持体は、ケーブル管理を容易にするために中空である、請求項４に記載の状態表示灯アセンブリ。
【請求項６】
前記ハウジング支持体は、異なるサイズのモニタ上での使用を容易にするために長さが調整可能である、請求項４に記載の状態表示灯アセンブリ。
【請求項７】
前記アセンブリが、付属品ブラケット支持アームをさらに備える、請求項１に記載の状態灯アセンブリ。
【発明の詳細な説明】
【技術分野】
【０００１】
関連用途との相互参照
本出願は、その全体が参照により本明細書に組み入れられる、２０１６年７月２１日に出願された米国仮特許出願第６２／３６５，２７３号の利益を主張する。
【０００２】
本開示は、一般に、特に検査室環境で使用するための視覚機器状態表示器に関する。本開示は、モニタ搭載視覚機器状態表示器に関する。より具体的には、本開示は、インビトロ診断システムと共に使用するための視覚機器状態表示器に関する。
【背景技術】
【０００３】
多くの産業設備、医療設備、検査室設備、および他の設備は、様々な目的のために、個々に、またはシステムの一部として、様々な機器または機械を使用している。これらの機器やシステムを監視することは、生産性、メンテナンス、ダウンタイムの短縮、およびその他の要因にとって不可欠である。全部ではないにしても、これらの機器およびシステムの多くは、しばしば支持アームまたは他の装置に取り付けられたスクリーンまたはモニタを使用する。本明細書の説明はインビトロ診断装置に焦点を合わせているが、モニタを有する任意のシステムに適合させることができる。
【０００４】
インビトロ診断法（ＩＶＤ）は、患者の液体試料に対して行われるアッセイに基づいて、検査室が疾患の診断を支援することを可能にする。ＩＶＤは、患者の体液または膿瘍から採取された液体試料の分析によって実行することができる患者の診断および治療に関連する様々な種類の分析試験およびアッセイを備える。これらのアッセイは、典型的には、患者試料を備える管またはバイアルなどの流体容器が装填されている自動化臨床化学分析装置（分析装置）を用いて行われる。分析装置は試料容器から液体試料を抽出し、その試料を特別な反応キュベットまたは管（一般に、反応容器と呼ばれる）のさまざまな試薬と組み合わせる。いくつかの従来のシステムでは、モジュラアプローチが分析装置に使用されている。検査室自動システムは、１つの試料処理モジュール（モジュール）と別のモジュールとの間で試料を交換できる。モジュールは、試料取扱ステーションおよび試験ステーション（例えば、特定の種類のアッセイに特化することができる、またはそうでなければ免疫アッセイ（ＩＡ）および臨床化学（ＣＣ）ステーションを備えることができるより大きな分析装置に試験サービスを提供することができるユニット）を備える一つ以上のステーションを備えることができる。
【０００５】
ＩＶＤ環境において分析装置と共に使用する自動システムは、分析装置内の異なるステーション間または分析装置間で試料標本を含む管を移動させる。試料管および試薬管を輸送する１つの方法は、トラックシステムを介して移動させられるキャリア、または容器移動装置（ＶＭ）に関する。
【０００６】
したがって、典型的なＩＶＤシステムは、複数の機器、分析装置、自動システムなどを備える。適切な機能とメンテナンスを確実にするために、これらの各状態やシステム全体の状態を監視する必要がある。監視を容易にする１つの方法は、状態灯を使用することである。
【０００７】
業界で共通の２つの一般的なタイプの機器状態灯がある。第１のタイプは、機器のカバーに組み込まれているものである。たとえば、ＡＤＶＩＡ Ｃｅｎｔａｕｒ（登録商標）ＸＰおよびＸＰＴシステムには、外側のプラスチックカバーアセンブリの一部であるＬＥＤアレイとレンズがある。取り付けの詳細がカスタムパーツに重複していない限り、これらを他の機器に直接使用することはできない。すなわち、これらはＩＶＤシステム内の特定の機器に固有のものであり、通常、その機器に近接して見るためにその特定の機器に組み込まれている。第２のタイプは典型的には照明柱の形態をとる。これらは通常、特定の機器に合わせて調整されておらず、より一般的である。照明柱には機器への取付機能が必要であり、それらはより高価である。
【０００８】
したがって、容易に視認でき、システム全体および／またはその一部を監視する、あったとしても、特別な取付ハードウェア、および他の機能をほとんど必要としないように適合させることができる状態表示器が業界では必要とされている。
【発明の概要】
【０００９】
いくつかの実施形態は、少なくとも１つの表示灯を備える状態表示灯ハウジングと、状態表示灯ハウジングに接続され、モニタ、モニタ支持要素、モニタアーム、またはモニタ取付ブラケットのうちの少なくとも１つに取り付けるように適合された状態表示灯取付ブラケットと、を備える状態表示灯アセンブリを提供する。
【００１０】
いくつかの実施形態では、状態表示灯取付ブラケットは、標準化された取付構成で配置された１つまたは複数の取付孔を有する。
【００１１】
いくつかの実施形態では、標準化された取付構成はＶＥＳＡ準拠の構成である。
【００１２】
いくつかの実施形態では、表示灯ハウジングおよび状態表示灯取付ブラケットは、ハウジング支持体によって相互接続されている。
【００１３】
いくつかの実施形態では、ハウジング支持体はケーブル管理を容易にするために中空である。
【００１４】
いくつかの実施形態では、ハウジング支持体は、異なるサイズのモニタでの使用を容易にするために長さが調整可能である。
【００１５】
いくつかの実施形態では、アセンブリはさらに付属品ブラケット支持アームを備えている。
【００１６】
本発明のさらなる特徴および利点は、添付の図面を参照しながら進められる例示的な実施形態の以下の詳細な説明から明らかになるであろう。
【図面の簡単な説明】
【００１７】
本発明の上記および他の態様は、添付の図面と関連して読まれるとき、以下の詳細な説明から最もよく理解される。本発明を説明する目的で、現在好ましい実施形態を図面に示すが、本発明は開示された特定の手段に限定されないことが理解される。図面に含まれるものは以下の図である。
【図１Ａ】モニタ搭載状態灯アセンブリの環境図を示す。
【図１Ｂ】本明細書に記載の実施形態による、図１Ａのモニタ搭載状態灯アセンブリの丸で囲まれた領域の拡大図を示す。
【図２】本明細書に記載の実施形態による、モニタ搭載状態灯アセンブリの背面図を示す。
【図３】本明細書に記載の実施形態による、モニタ搭載状態灯アセンブリおよび取付ブラケットを示す。
【発明を実施するための形態】
【００１８】
本明細書に開示されているモニタ搭載状態灯アセンブリは、いくつかの問題に対処している。対処される１つの重要な問題は、それらの機器が特別なハードウェア規定を有する必要なしに、いくつかの機器に適用され得る視覚機器状態表示器を有する必要性である。
【００１９】
状態灯（複数可）自体は、それが監視するシステムと通信している。この通信は有線でも無線でもよい。状態灯は、個々のシステム構成要素または複数の個々の構成要素と、あるいはシステム全体またはその一部を監視するコンピュータと通信することができる。表示灯は、システムには注意が必要である場合、ユーザが一目でわかるようにすることができるようにする表示器である任意の適切な監視配置が使用されてもよい。いくつかの実施形態では、状態灯は追加のまたはより詳細な情報を備えることができる。
【００２０】
業界における最も大型の機器は、システムとのユーザインタラクションに対応するために１つまたは複数の在庫モニタを使用する。モニタに状態灯を取り付けることは、ユーザの注意をモニタに向けることを含むいくつかの利点を有し、それは、ユーザが通常、潜在的な問題とその対処方法に関する詳細情報を入手する第１の場所である。モニタ搭載状態灯アセンブリはまた、限定はしないが、ハウジング支持体を通って経路を決定しなければならないケーブルの数を減らすキーボードおよびマウス用のＵＳＢポート、より慣習的な照明柱が欲しい場合がある顧客のための付加的な付属品の照明柱用のコネクター、機器が使用環境を監視するのを助けるための温度および湿度センサなどの追加のセンサ等の追加の機能を提供することもでき、ハンドバーコードスキャナなどのための取付ブラケットを提供する。他のセンサは、高度センサ、微粒子センサ、周囲灯センサ、汚染センサ、およびシステムが感知された状態を調整するためにおよび／またはオペレータに警告するために補償を行うことができる場合、適切な機能に影響を与える状態を検出することができる他のセンサを備えるがこれらに限定されずに他の機器や環境に適用できる。
【００２１】
モニタに状態灯を取り付けると、組込状態灯やＯＥＭ状態灯に代わる低コストで柔軟な方法が提供される。
【００２２】
ほとんどのモニタは、ブラケット、モニタ支持アームなどに接続するための標準取付孔パターン（ＶＥＳＡ）を提供する。図面を参照すると、モニタ搭載状態灯アセンブリは、標準のＶＥＳＡ孔パターンと一致する取付ブラケット５００を備えている。取付ブラケット５００は、モニタ１００上のＶＥＳＡ取付面１１０とモニタ支持アーム２００との間に嵌合するのに十分なほど薄いので、追加のネジなしでしっかりと取り付けることができる。それは標準化されているので、ＶＥＳＡ互換モニタを使用するどんなシステムにでも取り付けすることができる。現在の規格はＶＥＳＡであるが、標準的なものであれ、独自のものであれ、他ものであれ、モニタ搭載状態灯アセンブリは、既存または将来のあらゆる取付システムに適合させることができる。
【００２３】
標準的な取付配置および同じまたは類似の寸法のモニタの使用を利用することによって、特別な取付ハードウェアを必要とせずに、同じ状態灯を複数の機器に使用することができる。いくつかの実施形態では、状態灯は、モニタ、モニタ支持要素、モニタアーム、またはモニタ取付ブラケットのうちの少なくとも１つに取り付けることができる。
【００２４】
状態灯６００自体には、様々な状態灯６１０のいずれか、または単純な赤／黄／緑の表示灯から様々な機器および／または条件に対応しているより複雑なシステムの照明までの信号が提供され得る。いくつかの実施形態では、状態灯自体が、状態表示を提供する追加のモニタ（図示せず）であり得る。問題が深刻になればなるほど、視覚信号はより顕著になる。赤が最も警告状態が高いので、３つの要素すべてを照明することができる。緑が最も低いので、中央の要素だけを照明することができる。いくつかの実施形態では、視覚的合図は、異なる警告色の認識で助けるために拡張されている。これは色覚異常のある人には特に役立つ。例えば、照明される要素の位置、色、および／または数を使用して、異なる警告状態を区別することができる。
【００２５】
いくつかの実施形態では、状態灯ハウジング６２０は、警告状態を伝達するのに必要な最小数の要素（灯）６１０が機器の周囲の任意の位置から視認できることを確実にするように適合および構成されている。いくつかの実施形態において、状態灯ハウジング６２０は、この視認性を容易にするために湾曲している。
【００２６】
状態灯ハウジング６２０およびブラケットは、他のハードウェア（モニタ、キーボード、および追加の照明柱用のＵＳＢポート）、ケーブル格納領域、スキャナ取付ブラケット、温度および湿度センサ等用の接続などの追加の機能を提供するように適合させることができる。
【００２７】
図１Ａは、本明細書に記載の例示的なモニタ搭載状態表示灯アセンブリを示す。図１Ｂは、図１Ａの丸で囲んだ部分の拡大図である。図１Ａおよび図１Ｂに示す実施形態では、状態灯６００は、単純な赤／黄／緑の３光システムである。状態灯６００は、見やすくするために３つの状態灯６１０が配置されている状態灯ハウジング６２０を備える。図示のように、状態灯ハウジング６２０は、モニタ１００の上部ベゼル１２０の上方中央に取り付けられている。状態灯ハウジング６２０の上縁部は、機器またはモニタの前、後ろ、または側方の任意の位置から３つすべての灯６１０を見やすくするために湾曲している。機器７１０の背後には、より伝統的な照明柱７００も見られる。
【００２８】
図２は、図１に示すモニタ搭載状態表示灯アセンブリの概略図を示す。図示のように、この実施形態は、システムおよび環境の全体的な状態を評価するために、状態灯６１０またはリモートコンピュータ（図示せず）にリンクすることができる任意の温度および湿度センサ６４０も備える。任意の取付ポート、ＵＳＢハブ、およびケーブル管理機能も示されている。ハウジング支持体６３０は、状態灯ハウジングを取付ブラケットに接続する。標準モニタへの接続を容易にするために、標準化されたＶＥＳＡ取付構成が使用されている。上述したように、状態灯６００用の取付ブラケット５００は、状態灯を支持するのに十分に強いが、モニタ支持アームへのモニタの取付けを妨げないように十分に薄い。いくつかの例では、取付ブラケット５００は、元の取付ネジをまだ使用できるほど十分に薄い。他の実施形態では、わずかに長いネジが必要とされ得る。図３は、付属品ブラケット支持体８００および付属品ホルダー８１０のような、任意の機能を備えた代替のモニタ搭載状態灯アセンブリおよび取付ブラケットを示す。これらは特定の付属品に応じてカスタマイズできる。たとえば、これはバーコードスキャナを保持するためにカスタマイズできる。ハウジング支持体６３０は、状態灯ハウジング６２０から監視されているシステムまたはコンピュータまでケーブルが通過することを可能にするために中空であり得る。ハウジング支持体６３０はまた、ＶＥＳＡ取付孔５１０とモニタの縁部との間の様々な距離に適応するように調整可能であり得る。
【００２９】
図示の実施形態はモニタの上部に状態灯を示しているが、いくつかの実施形態では、状態灯はモニタのいずれかの側に、または底部にさえもより適切に配置することができると考えられる。すなわち、取付板、ハウジング支持体、および状態灯ハウジングは、可能な限り最良の視野角を確保するために、状態灯をモニタの周囲に沿った任意の位置に位置決めするように配置および構成することができる。いくつかの実施形態では、取付板、ハウジング支持体、および／または状態灯ハウジングは、様々なモニタサイズおよび／またはモニタの周囲への配置を容易にするために、関節運動可能または調整可能であり得る。
【００３０】
上述の実施形態は、安価で安全な取付位置を提供するために既存のモニタ上の標準ＶＥＳＡ取付機能を活用する。ただし、利点はこの取付方法に完全には依存しない。モニタにクリップで留める、または単に機器のどこかに置く設計で、同様の利点が実現され得る。
【００３１】
この解決策の価値は、機器の特別な取付機能に依存しない状態灯を提供し、ハードウェアの複雑さを低減し、コストを節約することを支援し、他の機器に容易に実装し、または機器のハードウェアの変更を必要とせずに変更または更新できる追加機能を提供する。
【００３２】
本発明を例示的な実施形態を参照して説明してきたが、それに限定されない。当業者であれば、本発明の好ましい実施形態に対して多数の変更および修正を加えることができ、また本発明の真の趣旨から逸脱することなくそのような変更および修正を加えることができることを理解するであろう。したがって、添付の特許請求の範囲は、本発明の真の趣旨および範囲内に含まれるすべてのそのような同等の変化を網羅すると解釈されることを意図している。
【符号の説明】
【００３３】
１００  モニタ
１１０  ＶＥＳＡ取付面
１２０  上部ベゼル
２００  モニタ支持アーム
５００  取付ブラケット
５１０  ＶＥＳＡ取付孔
６００  状態灯
６１０  様々な状態灯
６２０  状態灯ハウジング
６３０  ハウジング支持体
６４０  温度および湿度センサ
７００  照明柱
７１０  機器
８００  付属品ブラケット支持体
８１０  付属品ホルダー
【図１Ａ】
2019522209.tif 000003
【図１Ｂ】
2019522209.tif 000004
【図２】
2019522209.tif 000005
【図３】
2019522209.tif 000006
【国際調査報告】
2019522209.tif 000007